(57)【特許請求の範囲】
【請求項１】
印刷ジョブデータを生成する情報処理装置と、前記情報処理装置で生成された印刷ジョブデータに基づき画像データを生成し、この画像データに基づき印刷を行う印刷装置とを備える印刷システムであって、
前記情報処理装置は、
前記印刷装置で使用されるメカ初期化情報およびジョブ登録情報の少なくともいずれか一方を含む、ＲＩＰ処理における構文解析によらずに解析可能な形式で記述されたジョブ設定データと、ＰＤＬ形式の印刷データとを有する印刷ジョブデータを生成する印刷ジョブデータ生成部と、
前記印刷ジョブデータを印刷装置へ送信する送信部とを備え、
前記印刷装置は、
前記情報処理装置から送信された前記印刷ジョブデータを受信する受信部と、
前記印刷ジョブデータの前記印刷データをＲＩＰ処理して画像データを生成するＲＩＰ処理部と、
前記ＲＩＰ処理部によるＲＩＰ処理における構文解析より前に前記印刷ジョブデータの前記ジョブ設定データを解析して前記メカ初期化情報および前記ジョブ登録情報の少なくともいずれか一方を取得し、前記メカ初期化情報に基づくメカ初期化要求および前記ジョブ登録情報に基づくジョブ登録の少なくともいずれか一方を行うＲＩＰ前処理部と、
前記メカ初期化要求が行われると前記ＲＩＰ処理部によるＲＩＰ処理における構文解析と並行して、前記メカ初期化情報に基づくメカ初期化を行うプリンタ部と
を備えることを特徴とする印刷システム。
【請求項２】
情報処理装置で生成された印刷ジョブデータに基づき画像データを生成し、この画像データに基づき印刷を行う印刷装置であって、
前記印刷装置で使用されるメカ初期化情報およびジョブ登録情報の少なくともいずれか一方を含む、ＲＩＰ処理における構文解析によらずに解析可能な形式で記述されたジョブ設定データと、ＰＤＬ形式の印刷データとを有する印刷ジョブデータを前記情報処理装置から受信する受信部と、
前記印刷ジョブデータの前記印刷データをＲＩＰ処理して画像データを生成するＲＩＰ処理部と、
前記ＲＩＰ処理部によるＲＩＰ処理における構文解析より前に前記印刷ジョブデータの前記ジョブ設定データを解析して前記メカ初期化情報および前記ジョブ登録情報の少なくともいずれか一方を取得し、前記メカ初期化情報に基づくメカ初期化要求および前記ジョブ登録情報に基づくジョブ登録の少なくともいずれか一方を行うＲＩＰ前処理部と、
前記メカ初期化要求が行われると前記ＲＩＰ処理部によるＲＩＰ処理における構文解析と並行して、前記メカ初期化情報に基づくメカ初期化を行うプリンタ部と
を備えることを特徴とする印刷装置。
【発明の詳細な説明】
【技術分野】
【０００１】
本発明は、印刷システムおよび印刷装置に関する。
【背景技術】
【０００２】
パーソナルコンピュータからＰＤＬ（Page Description Language）形式の印刷ジョブデータを印刷装置へ送信し、印刷装置でその印刷ジョブデータに基づく印刷を行う印刷システムが知られている。
【０００３】
このような印刷システムにおいて、ＰＤＬ形式の印刷ジョブデータを受信した印刷装置は、ＲＩＰ（Raster Image Processor）処理を行い、画像データを生成する。ＲＩＰ処理は、印刷ジョブデータの構文解析を行った後、印刷ジョブデータをラスタライズして画像データを生成する処理である。印刷装置は、ＲＩＰ処理により生成した画像データに基づき印刷を行う。
【０００４】
ＲＩＰ処理に関して、特許文献１には、複数のＲＩＰモジュールによりＲＩＰ処理を並列化することで、ＲＩＰ処理を高速化する技術が開示されている。
【先行技術文献】
【特許文献】
【０００５】
【特許文献１】特開２０１２−２２５０３号公報
【発明の概要】
【発明が解決しようとする課題】
【０００６】
ところで、印刷装置が印刷ジョブデータを受信したときに行う処理には、ＲＩＰ処理以外の処理もある。例えば、メカ初期化やジョブ登録の処理である。メカ初期化は、印刷装置で受信した印刷ジョブデータに応じて、用紙搬送機構やインクジェットヘッド等の印刷機構等の準備を行う処理である。ジョブ登録は、印刷装置で受信した印刷ジョブデータをジョブリストに登録する処理である。
【０００７】
これらの処理のために必要な情報が、印刷ジョブデータに含まれている。印刷装置では、それらの情報は、ＲＩＰ処理における印刷ジョブデータの構文解析を行うことで得られる。このため、ＲＩＰ処理における構文解析を行わないとメカ初期化を開始できず、メカ初期化に要する時間によっては、メカ初期化の終了が遅れ、印刷開始のタイミングが遅れることがある。また、ＲＩＰ処理における構文解析を行わないとジョブ登録を行えず、印刷ジョブデータが印刷装置で受信されているか否かをユーザが確認できる状態になるのが遅れることがある。
【０００８】
特許文献１の技術では、複数のＲＩＰモジュールによりＲＩＰ処理を高速化できるが、この場合でも、ＲＩＰ処理における構文解析を行わないとメカ初期化やジョブ登録を行えない。
【０００９】
このように、印刷ジョブデータを受信した印刷装置において、ＲＩＰ処理以外の処理のためにＲＩＰ処理における構文解析を待つことで、処理の非効率が生じていた。そこで、印刷装置における印刷ジョブデータの受信時におけるＲＩＰ処理以外の処理も含めた処理の効率化が要望されていた。
【００１０】
本発明は上記に鑑みてなされたもので、印刷装置における印刷ジョブデータの受信時の処理を効率化できる印刷システムおよび印刷装置を提供することを目的とする。
【課題を解決するための手段】
【００１１】
上記目的を達成するため、本発明に係る印刷システムの特徴は、印刷ジョブデータを生成する情報処理装置と、前記情報処理装置で生成された印刷ジョブデータに基づき画像データを生成し、この画像データに基づき印刷を行う印刷装置とを備える印刷システムであって、前記情報処理装置は、前記印刷装置で使用されるメカ初期化情報およびジョブ登録情報の少なくともいずれか一方を含む、ＲＩＰ処理によらずに解析可能な形式で記述されたジョブ設定データと、ＰＤＬ形式の印刷データとを有する印刷ジョブデータを生成する印刷ジョブデータ生成部と、前記印刷ジョブデータを印刷装置へ送信する送信部とを備え、前記印刷装置は、前記情報処理装置から送信された前記印刷ジョブデータを受信する受信部と、前記印刷ジョブデータの前記印刷データをＲＩＰ処理して画像データを生成するＲＩＰ処理部と、前記ＲＩＰ処理部によるＲＩＰ処理より前に前記印刷ジョブデータの前記ジョブ設定データを解析して前記メカ初期化情報および前記ジョブ登録情報の少なくともいずれか一方を取得し、前記メカ初期化情報に基づくメカ初期化要求および前記ジョブ登録情報に基づくジョブ登録の少なくともいずれか一方を行うＲＩＰ前処理部とを備えることにある。
【００１２】
本発明に係る情報処理装置の特徴は、印刷装置で使用されるメカ初期化情報およびジョブ登録情報の少なくともいずれか一方を含む、ＲＩＰ処理によらずに解析可能な形式で記述されたジョブ設定データと、ＰＤＬ形式の印刷データとを有する印刷ジョブデータを生成する印刷ジョブデータ生成部と、前記印刷ジョブデータを前記印刷装置へ送信する送信部とを備えることにある。
【００１３】
本発明に係る印刷装置の特徴は、情報処理装置で生成された印刷ジョブデータに基づき画像データを生成し、この画像データに基づき印刷を行う印刷装置であって、前記印刷装置で使用されるメカ初期化情報およびジョブ登録情報の少なくともいずれか一方を含む、ＲＩＰ処理によらずに解析可能な形式で記述されたジョブ設定データと、ＰＤＬ形式の印刷データとを有する印刷ジョブデータを前記情報処理装置から受信する受信部と、前記印刷ジョブデータの前記印刷データをＲＩＰ処理して画像データを生成するＲＩＰ処理部と、前記ＲＩＰ処理部によるＲＩＰ処理より前に前記印刷ジョブデータの前記ジョブ設定データを解析して前記メカ初期化情報および前記ジョブ登録情報の少なくともいずれか一方を取得し、前記メカ初期化情報に基づくメカ初期化要求および前記ジョブ登録情報に基づくジョブ登録の少なくともいずれか一方を行うＲＩＰ前処理部とを備えることにある。
【発明の効果】
【００１４】
本発明に係る印刷システムの特徴によれば、情報処理装置の印刷ジョブデータ生成部が、印刷装置で使用されるメカ初期化情報およびジョブ登録情報の少なくともいずれか一方を含む、ＲＩＰ処理によらずに解析可能な形式で記述されたジョブ設定データと、ＰＤＬ形式の印刷データとを有する印刷ジョブデータを生成する。印刷装置のＲＩＰ前処理部は、ＲＩＰ処理部によるＲＩＰ処理より前に印刷ジョブデータのジョブ設定データを解析してメカ初期化情報およびジョブ登録情報の少なくともいずれか一方を取得し、メカ初期化情報に基づくメカ初期化要求およびジョブ登録情報に基づくジョブ登録の少なくともいずれか一方を行う。これにより、印刷装置において、ＲＩＰ処理の開始以前に、メカ初期化の処理を開始したり、ジョブ登録を行ったりすることが可能になる。ＲＩＰ処理の開始以前にメカ初期化の処理を開始できると、メカ初期化の処理がＲＩＰ処理と並行して行われる時間を長くとることができ、印刷開始のタイミングを早くすることが可能になる。また、ＲＩＰ処理の開始以前にジョブ登録を行うことができると、前の印刷ジョブデータのＲＩＰ処理中でもジョブ登録を行うことができるようになる。
【００１５】
このように、本発明に係る印刷システムの特徴によれば、印刷装置がメカ初期化やジョブ登録の処理を効率的に行うことが可能になるので、印刷装置における印刷ジョブデータの受信時の処理を効率化できる。
【００１６】
本発明に係る情報処理装置の特徴によれば、印刷ジョブデータ生成部が、印刷装置で使用されるメカ初期化情報およびジョブ登録情報の少なくともいずれか一方を含む、ＲＩＰ処理によらずに解析可能な形式で記述されたジョブ設定データと、ＰＤＬ形式の印刷データとを有する印刷ジョブデータを生成する。そして、送信部が印刷ジョブデータを印刷装置へ送信する。これにより、印刷装置がＲＩＰ処理より前に印刷ジョブデータのジョブ設定データを解析してメカ初期化情報およびジョブ登録情報の少なくともいずれか一方を取得することを可能とすることができる。この結果、印刷装置がメカ初期化やジョブ登録の処理を効率的に行うことが可能になるので、印刷装置における印刷ジョブデータの受信時の処理を効率化できる。
【００１７】
本発明に係る印刷装置の特徴によれば、ＲＩＰ前処理部は、ＲＩＰ処理部によるＲＩＰ処理より前に印刷ジョブデータのジョブ設定データを解析してメカ初期化情報およびジョブ登録情報の少なくともいずれか一方を取得し、メカ初期化情報に基づくメカ初期化要求およびジョブ登録情報に基づくジョブ登録の少なくともいずれか一方を行う。これにより、印刷装置において、ＲＩＰ処理の開始以前に、メカ初期化の処理を開始したり、ジョブ登録を行ったりすることが可能になる。この結果、メカ初期化やジョブ登録の処理を効率的に行うことが可能になるので、印刷装置における印刷ジョブデータの受信時の処理を効率化できる。
【図面の簡単な説明】
【００１８】
【図１】実施の形態に係る含む印刷システムの構成を示すブロック図である。
【図２】図１に示す印刷システムの情報処理装置が生成する印刷ジョブデータの構成の説明図である。
【図３】図１に示す印刷システムの印刷装置の動作を説明するためのフローチャートである。
【図４】図１に示す印刷システムの印刷装置における印刷ジョブデータの受信時の処理を説明するためのタイミングチャートである。
【発明を実施するための形態】
【００１９】
以下、本発明の実施の形態について、図面を参照して説明する。
【００２０】
図１は、本発明の実施の形態に係る含む印刷システムの構成を示すブロック図である。図１に示すように、本実施の形態に係る印刷システム１は、情報処理装置２と、印刷装置３とを備える。情報処理装置２と印刷装置３とは、ネットワーク４を介して通信可能に接続されている。ネットワーク４は、例えば、ＬＡＮ（Local Area Network）からなる。
【００２１】
情報処理装置２は、印刷ジョブデータを生成し、これを印刷装置３へ送信する。情報処理装置２は、例えば、パーソナルコンピュータからなる。情報処理装置２は、印刷ジョブデータ生成部１１と、入力部１２と、表示部１３と、通信部１４とを備える。
【００２２】
印刷ジョブデータ生成部１１は、図示しないアプリケーションで生成された画像データを印刷装置３で印刷させるための印刷ジョブデータを生成する。印刷ジョブデータ生成部１１は、情報処理装置２内に備えられたＣＰＵ（Central Processing Unit）が、ＨＤＤ（Hard Disk Drive）等の記憶装置に記憶されたプリンタドライバプログラムを実行することにより形成される。
【００２３】
印刷ジョブデータ生成部１１が生成する印刷ジョブデータは、図２に示すように、メカ初期化情報およびジョブ登録情報を含むジョブ設定データと、ＰＤＬ形式の印刷データとを有する。ジョブ設定データは、メカ初期化情報およびジョブ登録情報を、ＣＳＶ（Comma Separated Values）形式等の、ＲＩＰ処理によらずに解析可能な形式で記述したデータである。
【００２４】
メカ初期化情報は、印刷装置３におけるメカ初期化に必要な設定に関する情報である。メカ初期化は、印刷装置３において、受信した印刷ジョブデータに応じて、後述するプリンタ部２１の用紙搬送機構やインクジェットヘッド等の準備を行う処理である。メカ初期化情報は、例えば、用紙サイズ、インクジェットヘッドによる印刷時の１画素あたりの最大ドロップ数等の情報を含む。
【００２５】
ジョブ登録情報は、印刷装置３におけるジョブ登録に必要な情報である。ジョブ登録は、印刷装置３において、受信した印刷ジョブデータを、後述するジョブリスト５１に登録する処理である。ジョブ登録情報は、例えば、ジョブ名、オーナー名等の情報を含む。
【００２６】
入力部１２は、ユーザによる種々の指示や情報の入力操作を受け付ける。入力部１２は、キーボード、マウス等を有する。
【００２７】
表示部１３は、各種の入力画面等を表示する。表示部１３は、液晶ディスプレイ等からなる。
【００２８】
通信部１４は、情報処理装置２をネットワーク４に接続する。これにより、情報処理装置２が印刷装置３と通信可能になっている。なお、通信部１４は、請求項の送信部に相当する。
【００２９】
印刷装置３は、情報処理装置２で生成された印刷ジョブデータに基づき画像データを生成し、この画像データに基づき印刷を行う。印刷装置３は、プリンタ部２１と、制御部２２と、記憶部２３と、操作パネル２４と、通信部２５とを備える。
【００３０】
プリンタ部２１は、用紙を搬送しつつ画像を印刷し、印刷された用紙を搬送して排紙する。プリンタ部２１は、用紙を搬送するローラ等を有する用紙搬送機構、用紙にインクを吐出して印刷するインクジェットヘッド（いずれも図示せず）等を備える。
【００３１】
制御部２２は、印刷装置３全体の動作を制御する。制御部２２は、ＲＩＰ前処理部３１と、ＲＩＰ処理部３２と、印刷制御部３３とを備える。制御部２２の各部は、印刷装置３内に備えられたＣＰＵが、ＨＤＤ等の記憶装置に記憶された各種のプログラムを実行することにより形成される。
【００３２】
ＲＩＰ前処理部３１は、情報処理装置２からの印刷ジョブデータを受信すると、ＲＩＰ前処理を行う。ＲＩＰ前処理は、ＲＩＰ処理部３２によるＲＩＰ処理の前に行われる処理であり、印刷ジョブデータの簡易解析によりジョブ設定データからメカ初期化情報およびジョブ登録情報を取得し、メカ初期化情報に基づくメカ初期化要求およびジョブ登録情報に基づくジョブ登録を行う処理である。ＲＩＰ前処理部３１は、簡易解析部４１と、ジョブ登録部４２と、メカ初期化要求部４３とを備える。
【００３３】
簡易解析部４１は、印刷ジョブデータの簡易解析として、ジョブ設定データの解析を行い、メカ初期化情報およびジョブ登録情報を取得する。
【００３４】
ジョブ登録部４２は、ジョブ登録情報に基づき、ジョブリスト５１へのジョブ登録を行う。
【００３５】
メカ初期化要求部４３は、メカ初期化情報に基づき、プリンタ部２１へのメカ初期化要求を行う。
【００３６】
ＲＩＰ処理部３２は、印刷ジョブデータの印刷データをＲＩＰ処理して画像データを生成する。
【００３７】
印刷制御部３３は、ＲＩＰ処理部３２で生成された画像データに基づき、プリンタ部２１を制御して印刷を実行する。
【００３８】
記憶部２３は、ジョブリスト５１を記憶している。ジョブリスト５１は、印刷装置３で受信した印刷ジョブデータのリストである。ジョブリスト５１は、各印刷ジョブデータのジョブ名、オーナー名等の情報を保持している。記憶部２３は、ＨＤＤ等の記憶装置により構成される。
【００３９】
操作パネル２４は、各種の入力画面等の画像を表示するとともに、ユーザによる入力操作を受け付ける。操作パネル２４は、画像を表示する液晶表示パネル等を有する表示部と、各種の操作ボタンおよびタッチパネルを有する入力部（いずれも図示せず）とを備える。
【００４０】
通信部２５は、印刷装置３をネットワーク４に接続する。これにより、印刷装置３が情報処理装置２と通信可能になっている。なお、通信部２５は、請求項の受信部に相当する。
【００４１】
次に、印刷システム１の動作について説明する。
【００４２】
情報処理装置２においてアプリケーションで生成された画像データを印刷装置３で印刷する際、ユーザの入力部１２に対する操作に応じて、印刷ジョブデータ生成部１１は、印刷設定画面（図示せず）を表示部１３に表示させる。
【００４３】
入力部１２に対する操作により印刷設定画面上で各種の設定入力が行われ、印刷開始指示が行われると、印刷ジョブデータ生成部１１は、設定入力内容、画像データ等に基づき、前述した図２のような印刷ジョブデータを生成する。具体的には、印刷ジョブデータ生成部１１は、印刷装置３で使用されるメカ初期化情報およびジョブ登録情報を、ＲＩＰ処理によらずに解析可能なＣＳＶ形式等の形式で記述したジョブ設定データを生成する。また、印刷ジョブデータ生成部１１は、画像データ等に基づき、ＰＤＬ形式の印刷データを生成する。そして、印刷ジョブデータ生成部１１は、ジョブ設定データと印刷データとを含む印刷ジョブデータを生成する。
【００４４】
そして、通信部１４は、印刷ジョブデータ生成部１１で生成された印刷ジョブデータを、ネットワーク４を介して印刷装置３へ送信する。
【００４５】
印刷装置３は、情報処理装置２からの印刷ジョブデータを受信すると、印刷を実行する。この際の印刷装置３の動作について、図３のフローチャートを参照して説明する。
【００４６】
図３のステップＳ１において、印刷装置３の通信部２５は、ネットワーク４を介して情報処理装置２からの印刷ジョブデータを受信する。
【００４７】
次いで、ステップＳ２において、簡易解析部４１は、通信部２５から印刷ジョブデータを取得し、この印刷ジョブデータの簡易解析を行う。具体的には、簡易解析部４１は、印刷ジョブデータのジョブ設定データを解析し、メカ初期化情報およびジョブ登録情報を取得する。簡易解析部４１は、ジョブ登録情報をジョブ登録部４２へ出力し、メカ初期化情報をメカ初期化要求部４３へ出力する。また、簡易解析部４１は、簡易解析後の印刷ジョブデータをＲＩＰ処理部３２へ送る。
【００４８】
次いで、ステップＳ３において、ジョブ登録部４２は、簡易解析部４１から入力されたジョブ登録情報に基づき、ジョブ登録を行う。具体的には、ジョブ登録部４２は、ジョブ登録情報に含まれるジョブ名、オーナー名等の情報を対応させてジョブリスト５１に追加する。
【００４９】
次いで、ステップＳ４において、メカ初期化要求部４３は、簡易解析部４１から入力されたメカ初期化情報に基づき、プリンタ部２１へのメカ初期化要求を行う。これにより、プリンタ部２１が、メカ初期化情報に基づくメカ初期化を開始する。なお、今回の印刷ジョブより前に印刷装置３が受信した印刷ジョブによる印刷が終了していない場合、メカ初期化要求部４３は、その印刷の終了を待ってメカ初期化要求を行う。
【００５０】
次いで、ステップＳ５において、ＲＩＰ処理部３２は、印刷ジョブデータの印刷データをＲＩＰ処理して画像データを生成する。具体的には、ＲＩＰ処理部３２は、まず、印刷データの構文解析を行う。次いで、ＲＩＰ処理部３２は、印刷データをラスタライズしてビットマップ形式の画像データを生成する。
【００５１】
次いで、ステップＳ６において、印刷制御部３３は、プリンタ部２１を制御して印刷を実行する。具体的には、印刷制御部３３は、プリンタ部２１の用紙搬送機構により用紙を搬送させつつ、画像データに基づきインクジェットヘッドからインクを吐出させて用紙に画像を印刷させる。印刷ジョブデータにおける指定枚数分の印刷が終了すると、一連の動作が終了となる。
【００５２】
上述した動作により、印刷装置３では、図４の下段に示すように、印刷ジョブデータを受信すると、ＲＩＰ前処理として、印刷ジョブデータの簡易解析、ジョブ登録、およびメカ初期化要求が行われる。ここで、簡易解析は、ＲＩＰ処理の構文解析よりも短時間で終了する処理である。ＲＩＰ前処理後、ＲＩＰ処理およびメカ初期化が開始され、メカ初期化がＲＩＰ処理と並行して行われる。メカ初期化およびＲＩＰ処理が終了すると、印刷が開始される。
【００５３】
これに対し、比較例として、本実施の形態のジョブ設定データを有していないＰＤＬ形式の印刷ジョブデータを受信して印刷を行う従来の印刷装置における処理のタイミングチャートを図４の上段に示す。
【００５４】
比較例では、印刷装置において、印刷ジョブデータを受信すると、ＲＩＰ処理の構文解析が開始される。構文解析によりジョブ登録情報およびメカ初期化情報が取得され、ジョブ登録およびメカ初期化要求が行われる。この後、ＲＩＰ処理の画像データ生成（ラスタライズ）およびメカ初期化が開始される。
【００５５】
ここで、画像データ生成が終了しても、メカ初期化が終了していなければ、印刷を開始できない。このため、図４の例のように、画像データ生成よりもメカ初期化の方が長い時間を要する場合、比較例の処理では、メカ初期化が終了するまで待機してから印刷が開始される。
【００５６】
このように、図４の上段の比較例の処理では、図４の下段の本実施の形態の処理と比較して、メカ初期化がＲＩＰ処理と並行して行われている時間が短いことにより、印刷開始のタイミングが遅くなる。すなわち、本実施の形態の処理では、メカ初期化をＲＩＰ処理の構文解析と並行して開始できることで、比較例の処理よりも、印刷開始のタイミングを早くすることが可能になる。
【００５７】
また、図４の下段の本実施の形態の処理では、ＲＩＰ前処理においてジョブ登録が行われる。これにより、ＲＩＰ処理の開始前に、ユーザの操作により、今回の印刷ジョブデータを含んだジョブリスト５１を印刷装置３の操作パネル２４または情報処理装置２の表示部１３に表示させることが可能になる。したがって、前の印刷ジョブデータのＲＩＰ処理中でも、今回の印刷ジョブデータが印刷装置３で受信されたか否かをユーザが即座に確認することができる。
【００５８】
一方、図４の上段の比較例の処理では、ＲＩＰ処理の構文解析後にジョブ登録が行われるため、前の印刷ジョブデータのＲＩＰ処理中はジョブ登録を行えない。このため、比較例の処理では、前の印刷ジョブデータのＲＩＰ処理中は、今回の印刷ジョブデータが印刷装置で受信されたか否かをユーザが確認することはできない。
【００５９】
以上説明したように、印刷システム１では、情報処理装置２の印刷ジョブデータ生成部１１が、メカ初期化情報およびジョブ登録情報を含む、ＲＩＰ処理によらずに解析可能な形式で記述されたジョブ設定データと、ＰＤＬ形式の印刷データとを有する印刷ジョブデータを生成する。印刷装置３のＲＩＰ前処理部３１は、ＲＩＰ処理部３２によるＲＩＰ処理の前に、印刷ジョブデータのジョブ設定データを解析してメカ初期化情報およびジョブ登録情報を取得し、メカ初期化情報に基づくメカ初期化要求およびジョブ登録情報に基づくジョブ登録を行う。
【００６０】
これにより、印刷装置３において、ＲＩＰ処理の開始以前に、メカ初期化の処理を開始できるようになる。これにより、メカ初期化の処理がＲＩＰ処理と並行して行われる時間を長くとることができ、印刷開始のタイミングを早くすることが可能になる。また、ＲＩＰ処理の開始以前にジョブ登録を行うことができるので、前の印刷ジョブデータのＲＩＰ処理中でもジョブ登録を行うことができるようになる。このように、印刷システム１によれば、メカ初期化およびジョブ登録の処理を効率的に行うことが可能になるので、印刷装置３における印刷ジョブデータの受信時の処理を効率化できる。
【００６１】
なお、上述した実施の形態では、印刷ジョブデータのジョブ設定データがメカ初期化情報およびジョブ登録情報を含んでいるが、これらのいずれかの情報を省略してもよい。メカ初期化情報またはジョブ登録情報が省略されている場合、印刷装置３におけるＲＩＰ前処において、ジョブ設定データに含まれているメカ初期化情報またはジョブ登録情報を取得し、その情報に応じてメカ初期化要求またはジョブ登録が行われる。
【００６２】
上述した実施の形態では、印刷装置３の印刷方式がインクジェット方式である場合を示したが、印刷方式はこれに限らない。
【００６３】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００６４】
１  印刷システム
２  情報処理装置
３  印刷装置
４  ネットワーク
１１  印刷ジョブデータ生成部
１２  入力部
１３  表示部
１４  通信部
２１  プリンタ部
２２  制御部
２３  記憶部
２４  操作パネル
２５  通信部
３１  ＲＩＰ前処理部
３２  ＲＩＰ処理部
３３  印刷制御部
４１  簡易解析部
４２  ジョブ登録部
４３  メカ初期化要求部
５１  ジョブリスト
【図１】
0006725262.tif 000002
【図２】
0006725262.tif 000003
【図３】
0006725262.tif 000004
【図４】
0006725262.tif 000005